(57)【特許請求の範囲】
【請求項１】
フロントケーシング及びリアケーシングから構成されたヘルメットと、前記ヘルメットに接続された制御器と、前記フロントケーシングに取り外し可能に接続され、眼部をマッサージできるアイマスクと、を含み、
前記アイマスクは、アイケースと、前記アイケース内に設けられたマッサージエアバッグとを含み、
前記アイケースに前記エアバッグと連通するエアパイプコネクタが設けられ、
前記フロントケーシング内にエアポンプが設けられ、
前記フロントケーシングに前記エアポンプと連通するガスノズルが設けられ、
前記エアパイプコネクタが前記ガスノズル内に挿設され、
前記フロントケーシングに第１ＰＣＢ板が設けられ、
前記アイケースに第２ＰＣＢ板が設けられ、
前記アイケースに前記第２ＰＣＢ板を貫通可能な突針が複数設けられ、
前記第２ＰＣＢ板が各前記突針によって前記第１ＰＣＢ板と電気的に接続されている、
ことを特徴とする多機能頭部マッサージ器。
【請求項２】
各前記突針の頂部にいずれも接触ヘッドを有し、
各前記接触ヘッド内に、該接触ヘッドに当接して該接触ヘッドと前記第１ＰＣＢ板を電気的に接続するための第１弾性部材が設けられている、
ことを特徴とする請求項１に記載の多機能頭部マッサージ器。
【請求項３】
前記ガスノズルと前記エアパイプコネクタの間にシールリングが設けられている、
ことを特徴とする請求項１に記載の多機能頭部マッサージ器。
【請求項４】
前記アイケースの両端面にそれぞれロッキング穴が設けられ、
前記フロントケーシングに前記ロッキング穴内に挿入可能なロッキングユニットが設けられている、
ことを特徴とする請求項１に記載の多機能頭部マッサージ器。
【請求項５】
前記フロントケーシングに取付溝が設けられており、
前記ロッキングユニットは、前記取付溝内に設けられ且つ前後移動可能なロッキング部材と、前記ロッキング部材の後側に設けられて該ロッキング部材に当接する第２弾性部材とを含み、
前記ロッキング部材の前部に挿接部が設けられ、前記挿接部が前記取付溝から伸び出して前記ロッキング穴に挿入されている、
ことを特徴とする請求項４に記載の多機能頭部マッサージ器。
【請求項６】
血液酸素検出装置を更に含み、
前記血液酸素検出装置が前記フロントケーシングの内側又は前記アイマスクの内側に設けられ、
前記血液酸素検出装置が前記制御器と電気的に接続される、
ことを特徴とする請求項１に記載の多機能頭部マッサージ器。
【請求項７】
前記血液酸素検出装置は、前記ヘルメット内に固定されたフレキシブルスリーブと、前記フレキシブルスリーブ内に配置された第３弾性部材と、前記第３弾性部材に設けられた血液酸素センサーと、を含む、
ことを特徴とする請求項６に記載の多機能頭部マッサージ器。
【請求項８】
前記フレキシブルスリーブの上端開口に、前記血液酸素センサーが配置されており前記第３弾性部材が固定される下ブラケットが下方に設けられた接続ブロックが設けられており、前記血液酸素センサーに、前記接続ブロックを貫通して前記下ブラケットに係合され前記血液酸素センサーを露出させる開口がある上ブラケットが設けられていることを特徴とする請求項７に記載の多機能頭部マッサージ器。
【発明の詳細な説明】
【技術分野】
【０００１】
本発明はマッサージ器の技術分野に及び、より具体的には、多機能頭部マッサージ器に関する。
【背景技術】
【０００２】
既存の頭部マッサージ器は、一般に頭部の各のつぼのみをマッサージし、機能が比較的単一であり、消費者の多様な需要を満たすことができない。したがって、早急に改善する必要がある。
【発明の概要】
【発明が解決しようとする課題】
【０００３】
本発明は、従来の技術の欠点を克服して、頭部マッサージ機能と眼部マッサージ機能を同時に有する頭部マッサージ器を提供することを解決しようとする技術的課題とする。
【課題を解決するための手段】
【０００４】
上記の技術課題を解決するために、本発明の技術的解決手段は、フロントケーシング及びリアケーシングから構成されたヘルメットと、前記ヘルメットに接続された制御器とを含み、前記フロントケーシングに眼部をマッサージできるアイマスクが取り外し可能に接続されている多機能頭部マッサージ器を提供することである。
【０００５】
具体的には、前記アイマスクは、アイケースと、前記アイケース内に設けられたマッサージエアバッグとを含み、前記アイケースに前記エアバッグと連通するエアパイプコネクタが設けられ、前記フロントケーシング内にエアポンプが設けられ、前記フロントケーシングに前記エアポンプと連通するガスノズルが設けられ、前記エアパイプコネクタが前記ガスノズル内に挿設されている。
【０００６】
更に、前記ガスノズルと前記エアパイプコネクタの間にシールリングが設けられている。
【０００７】
具体的には、前記フロントケーシングに第１ＰＣＢ板が設けられ、前記アイケースに第２ＰＣＢ板が設けられ、前記アイケースに前記第２ＰＣＢ板を貫通可能な突針が複数設けられ、前記第２ＰＣＢ板が各前記突針によって前記第１ＰＣＢ板に電気的に接続されている。
【０００８】
更に、各前記突針の頂部に均しく接触ヘッドを有し、各前記接触ヘッド内に、該接触ヘッドに当接して該接触ヘッドと前記第１ＰＣＢ板を電気的に接続させるための第１弾性部材が設けられている。
【０００９】
具体的には、前記アイケースの両端面にそれぞれロッキング穴が設けられ、前記フロントケーシングに前記ロッキング穴内に挿入可能なロッキングユニットが設けられている。
【００１０】
具体的には、前記フロントケーシングに取付溝が設けられており、前記ロッキングユニットは、前記取付溝内に設けられ且つ前後移動可能なロッキング部材と、前記ロッキング部材の後側に設けられて該ロッキングに当接するための第２弾性部材とを含み、前記ロッキング部材の前部に挿接部が設けられ、前記挿接部が前記取付溝から伸び出して前記ロッキング穴内に挿入される。
【００１１】
更に、血液酸素検出装置を更に含み、前記血液酸素検出装置が前記フロントケーシングの内側又は前記アイマスクの内側に設けられ、前記血液酸素検出装置が前記制御器と電気的に接続される。
【００１２】
具体的には、前記血液酸素検出装置は、前記ヘルメット内に固定されたフレキシブルスリーブと、前記フレキシブルスリーブ内に配置された第３弾性部材と、前記第３弾性部材に設けられた血液酸素センサーとを含む。
【００１３】
具体的には、前記フレキシブルスリーブの上端開口に、前記血液酸素センサーが配置されており前記第３弾性部材が固定される下ブラケットが下方に設けられた接続ブロックが設けられており、前記血液酸素センサーに、前記接続ブロックを貫通して前記下ブラケットに係合され前記血液酸素センサーを露出させる開口がある上ブラケットが設けられている。
【発明の効果】
【００１４】
本発明において、取り外し可能に接続されるアイマスクによってマッサージ器は頭部マッサージ機能を有すると共に、眼部マッサージの機能をも有するようになり、ユーザが眼部マッサージを必要としない時アイマスク全体を取り外してよく、この時にマッサージ器の頭部マッサージ機能が影響されず、そのようにして眼部マッサージと頭部マッサージを一体化した構造は更にユーザの便宜を図った。
【図面の簡単な説明】
【００１５】
【図１】本発明の実施例で提供する多機能頭部マッサージ器の構造概略図である。
【図２】本発明の実施例で提供する多機能頭部マッサージ器のアイマスクを取り外した後の構造概略図である。
【図３】本発明の実施例で提供する多機能頭部マッサージ器のアイマスクを取り外した後の別角度をみた概略図である。
【図４】本発明の実施例で提供する多機能頭部マッサージ器の部分断面図１である。
【図５】図４におけるＡ箇所の拡大図である。
【図６】本発明の実施例で提供する多機能頭部マッサージ器の部分断面図２である。
【図７】図６におけるＢ箇所の拡大図である。
【図８】本発明の実施例で提供する多機能頭部マッサージ器の部分断面図３である。
【図９】図８におけるＣ箇所の拡大図である。
【図１０】本発明の実施例で提供する多機能頭部マッサージ器の別角度をみた図である。
【図１１】本発明の実施例で提供する血液酸素検出装置の構造概略図である。
【図１２】本発明の実施例で提供する血液酸素検出装置の分解図である。
【図１３】本発明の実施例で提供する血液酸素検出装置の断面図１である。
【図１４】本発明の実施例で提供する血液酸素検出装置の断面図２である。
【発明を実施するための形態】
【００１６】
本発明の目的、技術的解決手段及び利点をより明白とするために、以下に添付図と実施例を結びつけて、本発明について詳しく説明する。ここで記載した具体的な実施例は本発明を説明するためのものだけであって、本発明を限定することを意図するものではないことを理解すべきである。
【００１７】
本発明の提供する多機能頭部マッサージ器の好ましい実施例の構造概略図である図１〜図３を参照する。前記多機能頭部マッサージ器は、フロントケーシング１００及びリアケーシング２００から構成されたヘルメットと、ヘルメットに接続の制御器（図示せず）と、フロントケーシング１００に取り外し可能に接続され眼部をマッサージするアイマスク３００と、を含む。本発明において、取り外し可能に接続されるアイマスク３００が使用可能であるマッサージ器は、頭部マッサージ機能を有するだけでなく、同時に眼部マッサージ機能をも有する。ユーザが眼部マッサージを必要としない時においては、アイマスク３００全体を取り外すことができ、この時にマッサージ器の頭部マッサージ機能に影響せず、かくして、眼部マッサージと頭部マッサージが集積する構造であり、ユーザの使用の便宜が一層図られている。
【００１８】
図２〜図４に示すように、アイマスク３００は、アイケース３１０及びアイケース３１０内に設置されたマッサージエアバッグ（図示せず）を含む。アイマスク３００は、主にマッサージエアバッグの膨張収縮を通して、眼部をマッサージするようになっており、アイケース３１０にはエアバッグと連通するエアパイプコネクタ３１１が設けられている。それに対応して、フロントケーシング１００内にはエアポンプ（図示せず）が設けられ、フロントケーシング１００にはエアポンプと連通するガスノズル１１０が設けられている。アイマスク３００のエアパイプコネクタ３１１はガスノズル１１０内に挿設されている。かくして、エアパイプコネクタ３１１とガスノズル１１０の連通を通して、気体の輸送が即座に実現される。
【００１９】
好ましくは、図５に示すように、ガスノズル１１０はフロントケーシング１００に設けら、その底部は挿入口１１１を有し、エアパイプコネクタ３１１は挿入口１１１から延伸し、挿入口１１１とエアパイプコネクタ３１１の間にシールリング４００が設けられている。かくして、両方の間の密封の等級が高まり、ガス漏れの発生が回避される。
【００２０】
図２、図６及び図７に示すように、本実施例で、フロントケーシング１００に第１ＰＣＢ板１２０が設けられ、アイケース３１０に第２ＰＣＢ板３２０が設けられている。アイケース３１０に第２ＰＣＢ板３２０を貫通する複数の突針３２１が設けられ、第２ＰＣＢ板３２０は各突針３２１によって第１ＰＣＢ板１２０と電気的に接続されている。具体的には、各突針３２１の頂部にいずれも接触ヘッド３２２を有し、各接触ヘッド３２２内には第１弾性部材３２３が設けられている。第１弾性部材３２３は好ましくはスプリングである。かくして、スプリングの当接作用によって、接触ヘッド３２２は始終、第１ＰＣＢ板１２０との確実な電気的接続が保持されている。第２ＰＣＢ板３２０は突針３２１によって第１ＰＣＢ板１２０に電気的に接続されて、眼部に対する加熱機能も果たしている。
【００２１】
このように、上記接続構造によって、アイマスク３００とヘルメットのガスライン、電気回路の接続を実現する。また、アイマスク３００とヘルメットの取り外し可能な接続構造は、２組の互いに嵌合するロッキング穴とロッキングユニットからなる。図２、図８及び図９に示すように、２つのロッキング穴３３０はそれぞれアイケース３１０の両端面に設けられ、２組のロッキングユニット５００はそれぞれフロントケーシング１００の端面に設けられている。フロントケーシング１００には２つの取付溝１３０が設けられ、それぞれ取付溝１３０内には１つのリミット柱１４０が設けられている。組ごとにロッキングユニット５００は、取付溝１３０内に設けられたロッキング部材５１０及びロッキング５１０の後側に設けられて該ロッキング５１０に当接する第２弾性部材５２０とを含む。具体的には、第２弾性部材５２０もスプリングからなる。各ロッキング部材５１０には１つの条形溝５１１があり、リミット柱１４０は条形溝５１１内に挿設され、ロッキング部材５１０はリミット柱１４０の限定範囲内にあり前後移動する。ロッキング部材５１０の前部には挿接部５１２が挿設けられ、挿接部５１２は取付溝１３０から伸び出してロッキング穴３３０内に挿入される。ロッキング部材５１０の底部は１つのスライド部５１３を有し、取付溝１３０の底部には空欠口１５０が設けられ、スライド部５１３が空欠口１５０内で移動可能である。
【００２２】
本実施例で、アイマスク３００とフロントケーシング１００の接続信頼性を保証するために、フロントケーシング１００に更に位置決め孔１６０が設置され、そして、アイケース３１０には位置決め柱３４０が対応して設けられており、位置決め柱３４０を位置決め孔１６０内に挿入することによって、両方を速やかに位置決めし、ドッキングさせることを実現する。
【００２３】
更に、図１０に示すように、本実施例で、アイマスク３００の内側に更に１つの血液酸素検出装置６００が設けられ、血液酸素検出装置６００と制御器は電気的に接続している。当然、血液酸素検出装置６００もフロントケーシング１００の内側に設けてもよい。アイマスク３００を取り付けてマッサージする時、血液酸素検出装置６００は使用者のおでこに即座に密着でき、使用者の血液酸素濃度データを検出し、併せてリアルタイムで制御器によって表示することができ、使用者の便利を図って血液酸素状況を認識し、これによって頭部マッサージ器を適切に調節できる。何かしらの患いを有する疾病の使用者に対して、リアルタイムに検出される血液酸素データは警告と指導の役割を果たすことができる。
【００２４】
図１１〜図１４に示すように、血液酸素検出装置６００は、フレキシブルスリーブ６１０と、フレキシブルスリーブ６１０内に配置された第３弾性部材６２０と、第３弾性部材６２０に設けられた血液酸素センサー６３０とを含む。かくして、血液酸素検出装置６００全体は自由に伸縮することができる。異なるユーザが頭部マッサージ器を用いる時にあたって、同じでない頭の型の大きさに基づき、血液酸素検出装置６００は伸展或いは収縮し、これによって血液酸素センサー６３０は始終人体の皮膚に密着することを保証し、検出の正確さを保証する。本実施例で、フレキシブルスリーブ６１０が優れた柔軟性を有することを保証するために、それはソフトゴムによる製作が採用され、しかも、フレキシブルスリーブ６１０は波形のデザインが採用されており、かくしてそれ自身が伸展性を有し、一定の程度の上方におけるフレキシブルスリーブ６１０に存在する伸展或いは収縮時に発生する誤表示を回避する。本実施例で、血液酸素検出装置６００はフレキシブルスリーブ６１０によってアイケース３１０の内側に固定されている。具体的には、フレキシブルスリーブ６１０の底部周縁にフランジ６１１が設けられ、かくして、アイケース３１０の内側にフランジ６１１を噛み合わせることができる係止溝（図示せず）を対応して設置し、すぐにフレキシブルスリーブ６１０を固定でき、これによって血液酸素検出装置６００が固定される。
【００２５】
フレキシブルスリーブ６１０の上端開口１５０には１つの接続ブロック６１２が設けられ、この接続ブロック６１２とフレキシブルスリーブ６１０の開口１５０は１つのキャビティを形成し、血液酸素センサー６３０はキャビティ内に配置され、併せて１つの上架台６４０と１つの下架台６５０によって固定されている。更に第３弾性部材６２０は接続ブロック６１２の下方の空間内に設けられている。
【００２６】
その中で、上架台６４０は押圧片６４１及びそれぞれ押圧片６４１の２つの向かい合った側端から下へ延伸する係止フック６４２とを含む。押圧片６４１に開口６４１１が開設されている。押圧片６４１は血液酸素センサー６３０上を押圧して設置され、且つ、血液酸素センサー６３０上の検知面が開口６４１１から露出する。接続ブロック６１２上の押圧片６４１の係止フック６４２に対応する箇所に貫通溝６１２１が設けられ、下架台６５０に各６１２１に対応する係止溝６５１が設けられている。このように、上架台６４０の係止フック６４２は、順次貫通溝６１２１、係止溝６５１を貫通し、係止溝６５１の側端に引っかかる。かくして、上架台６４０と下架台６５０は係合接続が即座に実現され、また、血液酸素センサー６３０と接続ブロック６１２は、上架台６４０と下架台６５０の間に挟まれて設けられている。
【００２７】
更に、係止フック６４２が容易且つ速やかに係止溝６５１内に挿入できることを保証するために、係止溝６５１の側端に傾斜係止縁６５２が設けられている。このように、斜面のガイド作用を利用し、係止フック６４２は速やかに係止溝６５１内に挿入され、そして傾斜係止縁６５２の底部に引っかかる。
【００２８】
本実施例で、下架台６５０の底部には固定柱６５３が設けられ、第３弾性部材６２０の上端は固定柱６５３に嵌設している。このように、固定柱６５３が第３弾性部材６２０に対して位置を限定することによって、第３弾性部材６２０に存在する伸縮過程中に発生する傾斜を回避する。好ましくは、第３弾性部材６２０もスプリングである。
【００２９】
本実施例で、一つのフレキシブルスリーブ６１０内に２つの上記血液酸素センサー６３０が設けられている。当然、１つ、或いは３つ或いは更に多く設置してもよい。血液酸素センサー６３０は市販のもので、任意の１種類を採用できることに、留意すべきである。例えば、光電原理を利用して採集する光電式血液酸素センサーを採用してよい。頭部マッサージ器は使用されている時に、血液酸素検出装置６００がまぶたに密着し、血液酸素状況を検出し、更に制御器によって検出結果を表示し、かくして、使用者はリアルタイムに血液酸素状況を把握し、そしてマッサージの調整が行われる。
【００３０】
本実施例で、頭部マッサージ器を使用する時に、アイマスク３００を取り外すことが必要になると、２つのロッキング部材５１０をそれぞれ或いは同時に後へ向けてスライドし、各ロッキング部材５１０の前端の挿接部５１２を共にロッキング穴３３０から退出させ、アイケース３１０上の第２ＰＣＢ板３２０の突針３２１と第１ＰＣＢ板１２０を分離させ、フロントケーシング１００の内部に設けられてマッサージエアバッグの通気を制御する電磁弁が信号を受信し、常閉状態となる。かくして、眼部マッサージ機能は停止する。しかし、頭部マッサージ機能に影響しない。最後に、エアパイプコネクタ３１１を抜いて、ガスノズル１１０と分離させれば、すぐにアイマスク３００は完全に取り外せる。アイマスク３００を取り付けることが必要になると、アイケース３１０の位置決め柱３４０をフロントケーシング１００の位置決め穴１６０に合わせて押し込む。この場合２つのロッキング部材５１０はスプリングの作用のもと、外向きに滑動し、位置決め柱３４０が完全に位置決め穴１６０に押し込まれた後、ロッキング部材５１０はスプリングの推進作用のもと前へ移動してその挿接部５１２は完全にロッキング穴３３０内に滑入する。外力作用の不在下で、スプリングの当接によってロッキング５１０は自ら滑動しない。このように、すぐにアイマスク３００がフロントケーシング１００に固定され、この時に、アイマスク３００における突針３２１と第１ＰＣＢ板１２０が電気的に接続され、エアパイプコネクタ３１１がガスノズル１１０２と連通する。アイマスク３００のマッサージ、熱罨機能が起動し、同時に血液酸素検出装置６００も起動する。これによって頭部と眼部のマッサージ及び血液酸素検出を同時に行うことができる。
【００３１】
以上のように、本発明の提供する多機能頭部マッサージ器を採用すれば、頭部と眼部マッサージ及び血液酸素検出を同時に行うことができ、アイマスクを取り外して頭部のみをマッサージすることもできる。このような選択可能な動作モードは、使い勝手がよい。
【００３２】
以上は、本発明の好ましい実施例だけであって、本発明を制限するためのものでなく、およそ本発明の精神と原則内で行った修正や同等な置換え、改良等が全て本発明の特許請求の範囲に含まれるべきである。
（付記）
（付記１）
フロントケーシング及びリアケーシングから構成されたヘルメットと、前記ヘルメットに接続された制御器とを含み、
前記フロントケーシングに眼部をマッサージできるアイマスクが取り外し可能に接続されている、
ことを特徴とする多機能頭部マッサージ器。
（付記２）
前記アイマスクは、アイケースと、前記アイケース内に設けられたマッサージエアバッグとを含み、
前記アイケースに前記エアバッグと連通するエアパイプコネクタが設けられ、
前記フロントケーシング内にエアポンプが設けられ、
前記フロントケーシングに前記エアポンプと連通するガスノズルが設けられ、
前記エアパイプコネクタが前記ガスノズル内に挿設されている、
ことを特徴とする付記１に記載の多機能頭部マッサージ器。
（付記３）
前記ガスノズルと前記エアパイプコネクタの間にシールリングが設けられている、
ことを特徴とする付記２に記載の多機能頭部マッサージ器。
（付記４）
前記フロントケーシングに第１ＰＣＢ板が設けられ、
前記アイケースに第２ＰＣＢ板が設けられ、
前記アイケースに前記第２ＰＣＢ板を貫通可能な突針が複数設けられ、
前記第２ＰＣＢ板が各前記突針によって前記第１ＰＣＢ板と電気的に接続されている、
ことを特徴とする付記２に記載の多機能頭部マッサージ器。
（付記５）
各前記突針の頂部にいずれも接触ヘッドを有し、
各前記接触ヘッド内に、該接触ヘッドに当接して該接触ヘッドと前記第１ＰＣＢ板を電気的に接続するための第１弾性部材が設けられている、
ことを特徴とする付記４に記載の多機能頭部マッサージ器。
（付記６）
前記アイケースの両端面にそれぞれロッキング穴が設けられ、
前記フロントケーシングに前記ロッキング穴内に挿入可能なロッキングユニットが設けられている、
ことを特徴とする付記２に記載の多機能頭部マッサージ器。
（付記７）
前記フロントケーシングに取付溝が設けられており、
前記ロッキングユニットは、前記取付溝内に設けられ且つ前後移動可能なロッキング部材と、前記ロッキング部材の後側に設けられて該ロッキング部材に当接する第２弾性部材とを含み、
前記ロッキング部材の前部に挿接部が設けられ、前記挿接部が前記取付溝から伸び出して前記ロッキング穴に挿入されている、
ことを特徴とする付記６に記載の多機能頭部マッサージ器。
（付記８）
血液酸素検出装置を更に含み、
前記血液酸素検出装置が前記フロントケーシングの内側又は前記アイマスクの内側に設けられ、
前記血液酸素検出装置が前記制御器と電気的に接続される、
ことを特徴とする付記１に記載の多機能頭部マッサージ器。
（付記９）
前記血液酸素検出装置は、前記ヘルメット内に固定されたフレキシブルスリーブと、前記フレキシブルスリーブ内に配置された第３弾性部材と、前記第３弾性部材に設けられた血液酸素センサーと、を含む、
ことを特徴とする付記８に記載の多機能頭部マッサージ器。
（付記１０）
前記フレキシブルスリーブの上端開口に、前記血液酸素センサーが配置されており前記第３の弾性素子が固定される下ブラケットが下方に設けられた接続ブロックが設けられており、前記血液酸素センサーに、前記接続ブロックを貫通して前記下ブラケットに係合され前記血液酸素センサーを露出させる開口がある上ブラケットが設けられていることを特徴とする付記９に記載の多機能頭部マッサージ器。
【図１】
0006275273.tif 000002
【図２】
0006275273.tif 000003
【図３】
0006275273.tif 000004
【図４】
0006275273.tif 000005
【図５】
0006275273.tif 000006
【図６】
0006275273.tif 000007
【図７】
0006275273.tif 000008
【図８】
0006275273.tif 000009
【図９】
0006275273.tif 000010
【図１０】
0006275273.tif 000011
【図１１】
0006275273.tif 000012
【図１２】
0006275273.tif 000013
【図１３】
0006275273.tif 000014
【図１４】
0006275273.tif 000015